(57)【特許請求の範囲】
【請求項１】
周面に清掃布が装着された清掃筒体と、該清掃筒体を回転可能に支持する把持本体とからなる清掃具であって、
上記把持本体は、上記清掃筒体に挿通されて該清掃筒体を回転可能に支持する軸部と、上記清掃筒体の周面の一部を覆い且つ上記清掃具の使用時に人の手で把持され該周面に圧接して該清掃筒体の回転を阻止する把持部と、該軸部を支承する軸受部とからなり、
上記把持部は、上記清掃筒体の周面の一部を覆う一対の側面部を備え、
一対の上記側面部は、上記清掃具の使用時に人の手で把持されることにより互いに近づく方向に撓んで上記清掃筒体の周面に圧接し、把持の力を緩めると、該周面に対する圧接状態が解除されて該清掃筒体が回転可能となるように構成されており、
一対の上記側面部それぞれにスリットが形成されており、一対の該側面部それぞれは、上記スリットの両側に位置する２つの部分をそれぞれ単独で撓ませることが可能となされている清掃具。
【請求項２】
上記清掃筒体の回転軸に直交する断面の形状が、各辺が円弧状の略正方形状であることを特徴とする請求項１に記載の清掃具。
【請求項３】
上記清掃筒体が、内部に清掃布収容空間を備え、該清掃布収容空間内と外部とを連通する引き出し用スリットを介して該清掃布収容空間内の清掃布が引き出され、該清掃布の引き出された部分が該清掃筒体の周面に装着されるようになされていることを特徴とする請求項１又は２に記載の清掃具。
【請求項４】
ガラス清掃用又は黒板若しくは白板清掃用の清掃具であることを特徴とする請求項１〜３の何れかに記載の清掃具。
【請求項５】
上記把持本体は、上記清掃筒体を、上記軸部が延びる方向と平行な方向における該把持本体の一端部から該清掃筒体の一部が突出するように支持する請求項１〜４の何れかに記載の清掃具。
【発明の詳細な説明】
【０００１】
【発明の属する技術分野】
本発明は、清掃具に関し、詳しくは、ガラス面，黒板等の硬質表面を軽い荷重で広範囲に亘って効率的に清掃することのできる清掃具に関する。
【０００２】
【従来の技術及び発明が解決しようとする課題】
窓ガラスや自動車のボディ等の硬質表面の清掃は、一般に広い面積に亘って行われることが多いため、多大な労力及び時間が必要であった。
上記硬質表面の清掃方法としては、界面活性剤及びアルカリ剤等を含有する液体系の洗浄剤を該硬質表面にスプレー等で吹き付けた後に、濡れ雑巾で該洗浄剤を拭き取り、更に乾いた布で乾拭きする方法が一般的である。しかし、このような方法においては、濡れ雑巾や布と硬質表面との接触面積が大きくなり易いため、拭き取り作業にかなりの力が必要であった。
【０００３】
また、化学雑巾を使用して硬質表面を清掃する方法があるが、この場合、化学雑巾を幾つかに折り畳んで汚れていない面で汚れを拭き取り、ある面が汚れたら他の面に換えて使用するという方法が一般的である。しかし、どの面が汚れ、どの面が汚れていないかを考えて使用することは面倒あるいは困難であり、汚れが飽和した面を誤って再度使用してしまい却って清掃面を汚す結果となったり、未使用な面を残したまま処分してしまう場合があった。
また、化学雑巾に限らず、他の雑巾や布等の清掃布を用いた場合においても、一部分のみを利用し、他に未利用の部分があるにも拘わらず処分してしまう場合が多く、清掃布が効率的に利用されていない場合が多かった。
【０００４】
また、黒板消しは、硬質表面が黒板である場合の清掃具であるが、従来の黒板消しは、一つの清掃面しか有していなかったため、清掃できる面積が極めて狭く、そのため頻繁に電動クリーナーを使用したり清掃面を叩いてたりして該清掃面の汚れを除去する必要があった。更に、このとき飛散するチョークの粉による健康への悪影響の心配もあった。
【０００５】
従って、本発明の目的は、適正な荷重により汚れを軽く効率的に拭き取ることができる清掃具を提供することにある。
また、本発明の目的は、清掃布全体を効率的に使用でき、広い面積の汚れを容易に拭き取ることのできる清掃具を提供することにある。
【０００６】
【課題を解決するための手段】
請求項１に記載の発明は、周面に清掃布が装着された清掃筒体と、該清掃筒体を回転可能に支持する把持本体とからなる清掃具であって、上記把持本体は、上記清掃筒体に挿通されて該清掃筒体を回転可能に支持する軸部と、上記清掃筒体の周面の一部を覆い且つ上記清掃具の使用時に人の手で把持され該周面に圧接して該清掃筒体の回転を阻止する把持部と、該軸部を支承する軸受部とからなり、上記把持部は、上記清掃筒体の周面の一部を覆う一対の側面部を備え、一対の上記側面部は、上記清掃具の使用時に人の手で把持されることにより互いに近づく方向に撓んで上記清掃筒体の周面に圧接し、把持の力を緩めると、該周面に対する圧接状態が解除されて該清掃筒体が回転可能となるように構成されており、一対の上記側面部それぞれにスリットが形成されており、一対の該側面部それぞれは、上記スリットの両側に位置する２つの部分をそれぞれ単独で撓ませることが可能となされている清掃具を提供することにより上記目的を達成したものである。
【０００７】
請求項２に記載の発明は、請求項１記載の発明において、一対の上記側面部それぞれにスリットが形成されており、一対の該側面部それぞれは、上記スリットの両側に位置する２つの部分をそれぞれ単独で撓ませることが可能となされている清掃具を提供するものである。
請求項３に記載の発明は、請求項１又は２に記載の発明において、上記清掃筒体の回転軸に直交する断面の形状が、各辺が円弧状の略正方形状である清掃具を提供するものである。
【０００８】
請求項４に記載の発明は、請求項１〜３の何れかに記載の発明において、上記清掃筒体が、内部に清掃布収容空間を備え、該清掃布収容空間内と外部とを連通する引き出し用スリットを介して該清掃布収容空間内の清掃布が引き出され、該清掃布の引き出された部分が該清掃筒体の周面に装着されるようになされている清掃具を提供するものである。
請求項５に記載の発明は、請求項１〜４の何れかに記載の発明において、ガラス清掃用又は黒板若しくは白板清掃用の清掃具である清掃具を提供するものである。
【０００９】
【発明の実施の形態】
本発明の清掃具の好ましい実施形態を図面を参照して説明する。ここで、図１は、本発明の清掃具の一実施形態を示す分解斜視図であり、図２は、図１に示す清掃具の清掃具本体を示す斜視図であり、図３は、図１における清掃筒体を矢印Ａ方向から観た平面図であり、図４は、清掃筒体への清掃布の装着を示す斜視図であり、図５及び図６は、図１に示す清掃具の使用状態を示す図である。
【００１０】
図１〜図６に示すように、本実施形態の清掃具１は、清掃筒体２及び把持本体３からなる清掃具本体４と、該清掃筒体２の周面に装着された清掃布５とから構成されている。
【００１１】
上記清掃筒体２は、上記把持本体３に回転可能に支持され、
上記把持本体３は、上記清掃筒体２に挿通されて該清掃筒体２を回転可能に支持する軸部３０と、該清掃筒体２の周面の一部を覆い且つ使用時に把持され該周面に圧接して該清掃筒体２の回転を阻止する把持部３１と、該軸部３０を支承する軸受部３２とからなる。
【００１２】
上記清掃筒体２は、図１に示すように、回転軸に直交する断面の形状が、各辺が円弧状の略正方形状の形態を有する。該円弧状の各辺の曲率半径は、通常１５０〜８００ｍｍ、好ましくは３００〜６００ｍｍであり、その中心点は、清掃筒体２の中心点を通る直線上にある。上記各辺の曲率半径の値が上記範囲内であると、清掃具と被清掃面である硬質表面との接触面積を容易に好ましい範囲内とすることができる。
上記清掃筒体２は、柔軟性素材により形成され、その周面が清掃基面として使用される。該清掃筒体２の軸心には上記把持本体３の軸部３０の径よりも僅かに大きな内径を有する中空管体（図示せず。）が挿入されており、清掃筒体２は、該中空管体内に上記軸部３０を挿入され該軸部を中心として回転可能になっている。上記中空管体の一端には、円盤状部材２０が連設されており、該円盤状部材２０は、柔軟性素材が直接上記軸受部３２に接触することを防止し、上記清掃筒体２の回転をより容易にしている。
【００１３】
上記清掃筒体２の円盤状部材２０が接触している側の端部と反対側の端部には、図３に示すように、回転用のつまみが形成されている。該つまみは清掃筒体２の周面に触れずに該清掃筒体２を回転可能とするもので、清掃筒体２の端面に円形の凹陥部２１を形成し、該凹陥部２１内につまみ部材２２を配して形成されている。
【００１４】
上記清掃筒体２は、その周面に清掃布５が装着可能になされている。即ち、図１に示すように、清掃筒体２の周面には、所定の大きさの窪み部（図示せず）が２カ所一列に形成され、両窪み部を覆うように装着固定部材６が設けられている。該装着固定部材６には、上記各窪み部に対応する位置それぞれに装着固定用スリット６０が形成されている。
【００１５】
上記把持本体３は、図１に示すように、軸部３０と把持部３１と軸受部３２とからなる。
上記軸部３０は、上記中空管体に挿通されて該清掃筒体２を回転可能に支持する。該軸部３０は、その基端部に、上記軸受部３２に形成された雌ねじ部（図示せず）に螺合する雄ねじ部（図示せず）を有し、該軸受部３２に挿通されると共に該基端部の螺合により該軸受部３２に略垂直に接続固定されている。
【００１６】
上記把持部３１は、上記軸部３０に略平行に上記軸受部３２に立設され、清掃筒体２が把持本体３に装着された状態において、該清掃筒体２の周面の一部を覆うように設けられている。
上記把持部３１は、上記軸受部３２に上記軸部３０と略平行になるように立設された背面部３１ａと、該背面部３１ａの両側端部から該背面部３１ａに対し略直角に一方の側に向けて立設された一対の側面部３１ｂ，３１ｂとからなる。
上記一対の側面部３１ｂ，３１ｂそれぞれは、外側から把持されることにより容易に内側方向（互いに近づく方向）に撓んで上記清掃筒体２の周面に圧接するようになされている。
【００１７】
上記側面部３１ｂ，３１ｂそれぞれの中央部には、スリット３１ｃが形成されており、該側面部３１ｂ，３１ｂにおける該スリット３１ｃより上部のみ又は該スリット３１ｃより下部のみを撓ませることも可能となっている。これにより、側面部３１ｂ，３１ｂの一部のみを撓ませることも可能であり、側面部全体を把持して撓ませる場合よりも小さな把持力で清掃筒体２の回転を阻止することができる。尚、上記把持本体３における軸部３０及び把持部３１は、いずれも装着された清掃筒体２の端部２ａよりも突出しないように形成されている。
【００１８】
上記清掃布５は、上記清掃筒体２の周面一回り分よりも若干長い長さを有する帯状体である。例えば、以下のようして清掃筒体２の周面に装着される。
先ず、図４（ａ）に示すように、長さ方向の一端部５ａを上記装着固定部材６に重ね、該一端部５ａの一部を、上記装着固定用スリット６０に押し込んで固定する。次いで、上記回転用のつまみを摘んで上記清掃筒体２を回転させることにより、該清掃布５を該清掃筒体２の周面に巻き付かせる。そして、図４（ｂ）に示すように、装着固定部材６上に位置する他端部５ｂを同様に装着用スリット６０に押し込むことにより装着を完了する。尚、図４には、把持本体３を省略して示してある。また、清掃布５の清掃筒体２の周面への装着は、該清掃筒体２を把持本体３に装着した状態で行うこともできるし、把持本体３から清掃筒体２を取り外した状態において行っても良い。
【００１９】
本実施形態における清掃布５は、洗浄剤を含浸させたものであっても、そのような洗浄剤を含浸させずに乾式で使用されるものであっても良い。該清掃布としては、繊維状材料から構成される繊維構造体、例えば、各種紙、不織布、織布若しくは編布及びパルプシートを挙げられる。これらの繊維構造体を構成する繊維状材料としては、例えば、セルロース系繊維、変性セルロース系繊維、合成繊維及びこれらの二種以上の混合物等を挙げられる。
【００２０】
上記セルロース系繊維としては、例えば木材系パルプや綿、麻等の天然繊維、テンセル、ビスコースレーヨンやアセテート等のセルロース系化学繊維が挙げられる。
一方、上記合成繊維としては、例えば、ポリエチレン系繊維、ポリプロピレン系繊維、ポリエステル系繊維、ポリアミド系繊維、ポリアクリロニトリル系繊維、ポリビニルアルコール系繊維及びこれらの合成繊維の少なくとも二種を芯鞘型等に複合化した繊維、並びにこれらの合成繊維の少なくとも二種を混合した繊維等が挙げられる。また、樹脂からなる多孔質シート（例えば、スポンジ状シート）も清掃布として使用できる。
上記洗浄剤としては、特に制限されず通常公知の各種の洗浄剤を挙げられる。
【００２１】
上記清掃筒体２の形成素材は、スポンジ状の多孔性の柔軟性素材（例えば、表面にメルトーム加工が施されたポリウレタン製の多孔性の柔軟性素材）、又はゴム状の柔軟性素材であって、Ｃ硬度が好ましくは１〜７０、更に好ましくは３０〜６０のものである。ここで、Ｃ硬度とは、ＳＲＩＳ（日本ゴム協会規格）０１０１に基づきアスカ−ゴム硬度計Ｃ型式で測定した硬度である。
【００２２】
上記清掃筒体２をスポンジ状の多孔性の柔軟性素材で作製する場合には、耐久性に優れた軟質若しくは硬質の発泡させた合成樹脂からなる多孔性の柔軟性素材を使用することが特に好ましい。この様な性質を備えた好ましい多孔性の柔軟性素材としては、例えば、発泡ポリエチレン、発泡ポリウレタン等の合成樹脂が挙げられる。
上記清掃筒体２を構成する柔軟性素材には、スポンジ状の多孔性の柔軟性素材のほかに、人工皮革若しくは布製の袋にフェルトや綿等の繊維材料を内包させたクッション性の柔軟性素材、又はゴム状の柔軟性素材を使用することもできる。
上記把持本体３における各部分の形成素材は、ある程度の強度が確保されれば特に制限されないが、例えば、塩化ビニル、ポリプロピレン、ＡＢＳ、ポリカーボネート、アルミニウムやその合金、木、竹製のものであることが、軽量で丈夫且つ低コストであるので好ましい。
【００２３】
本実施形態の清掃具１は、上述したような構成を有するので、ガラスや黒板等の硬質表面の清掃の際、上記清掃筒体２の曲面状の周面が清掃基面として使用され、軽い荷重で楽に汚れを拭き取ることができる。即ち、清掃布５と被清掃面との接触面積が手拭きに較べて小さくなり、軽い荷重で楽に清掃することができる。また、清掃基面として使用される清掃筒体２の周面は、その全体に亘って緩やかに突出しているため、清掃布５には、手拭きの場合にように窪んだ部分が形成され難い。従って、該清掃布５を全体に亘って有効に利用することができ、より広い面積の清掃が可能である。
【００２４】
更に、本実施形態の清掃具１は、把持本体３の一端部から清掃筒体２が突出した形態とされているため、例えば、図５及び図６に示すように、ガラス面７の上部サッシ７０の枠際を清掃する際には、清掃筒体２が上方に突出する向きで使用し、左側サッシ７０ａ及び右側サッシ７０ｂの枠際を清掃する際には、それぞれ清掃筒体２が左側に突出する向き及び清掃筒体２が右側に突出する向きで使用することにより、サッシの枠際であってもガラス面の汚れを容易に拭き取ることができる。
【００２５】
更に、本実施形態の清掃具１においては、使用時においては上記清掃筒体２は把持本体３の側面部３１ｂが圧接することにより回転が阻止されているが、把持本体３の把持の力を緩めると、清掃筒体２は容易に回転する。
従って、清掃筒体２の周面を形成する四面の内の一面を清掃基面として使用して
該面上の清掃布５が汚れで飽和したときには、清掃筒体２を１／４回転させることにより簡単に汚れていない面に切り替えることができる。しかも、清掃筒体２に上記回転用つまみが設けられているため、手を汚すことなくこの切り替えを行うことが可能である。同様にして、１／４回転ずつ回転させて上記四面とも清掃基面として使用することができる。
【００２６】
このようにして清掃布５の表面全体が汚れた場合には、清掃布５の上記他端部５ｂを装着固定用スリット６０から外し、前回の装着時の場合とは反対方向に清掃筒体２を回転させる。これにより、清掃布５の汚れていない裏面が表側となるので、上記他端部５ｂを再び装着固定用スリット６０に押し込み固定して、更に上述したような清掃を行うことができる。
このように、本実施形態の清掃具によると、清掃布５の片面全体のみならず清掃布５の両面全体を有効に清掃に利用でき、従って、交換作業を必要とせずに広い範囲の清掃が可能である。
【００２７】
また、例えば、本実施形態の清掃具１を黒板消しとして使用した場合、従来の黒板消しにおけるような粉の除去作業は不要であり、清掃布の交換で対応することができるという利点がある。しかも、該清掃布５の両面を効率的に使用するため、広い範囲の清掃が可能であり、交換の頻度も少なくてすむ。更に、チョークの粉による健康への悪影響の問題も解決される。
【００２８】
以上の説明から明らかなように、本実施形態の清掃具１は、ガラス、黒板、タイル張りの浴室やキッチンの壁や天井、自動車のボディ等のあらゆる硬質表面の清掃に好適に使用することができ、特にガラス面清掃用又は黒板若しくは白板清掃用の清掃具として好適である。
【００２９】
以上、本発明の好ましい一実施形態について説明したが、本発明は上記実施形態により制限されるものではなく、発明の要旨を逸脱しない範囲において適宜変更が可能である。
例えば、上記装着固定部材６は、図７に示すようなものであっても良い。該装着固定部材６は、清掃筒体２の周面に形成された窪み部（図示せず）を覆うように設けられ、開き用スリット６１及び保持用スリット６２が形成されている。上記開き用スリット６１は放射状に延在して設けられ、上記保持用スリット６２は上記開き用スリット６１に連続すると共に鋸歯形状に形成されている。このような装着固定部材６を採用すると、より確実に且つ簡単に上記清掃布５を清掃筒体２の周面に装着固定することができる。尚、清掃布５の端部に図７に示すような突起５ａを形成し、清掃布５の一端部と他端部とをそれぞれ異なる装着固定部材６により固定すると、より一層清掃布５の清掃筒体２への装着固定が容易となる。
【００３０】
次に、本発明の清掃具の他の実施形態について図面を参照して説明する。図８及び図９は、本実施形態の清掃具における清掃筒体２を示す斜視図である。尚、本実施形態の清掃具における、清掃筒体２及び清掃布５以外の構成は特に説明しない限り上記した清掃具におけるのと同様である。
【００３１】
本実施形態の清掃具における清掃筒体２は、図８に示すように、その内部に、ロール状に巻いた長尺状の清掃布５を収容する清掃布収容空間２３を有すると共に、該清掃布収容空間２３内の清掃布５をその一端から外部に引き出すための引き出し用スリット２４が周面に形成されている。
上記清掃布５は、清掃筒体２の周面の長さの少なくとも２倍以上の長さ、例えば５〜２０倍の長さを有する長尺状であり、中心部に中空部５０が形成されるように巻回されてロール状とされている。該中空部５０には、上記把持本体３の軸部３０を挿通可能である。
上記清掃布収容空間２３は、上記引き出し用スリット２４を介して清掃筒体２の外部に連通されており、清掃布収容空間２３内に収容された清掃布５をその一端から該引き出し用スリット２４を介して外部に引き出すことができるようになされている。
【００３２】
上記清掃筒体２の周面における引き出し用スリット２４の両側には、清掃布５の端部を固定するための装着固定部材６，６が設けられている。各装着固定部材６の構成は、図１に示した清掃具におけるのと同様である。
【００３３】
本実施形態の清掃具においては、使用に際し、上記引き出し用スリット２４から清掃布５が引き出される。清掃布５は、その端部を外部から引っ張ることにより引き出すことができ、引き出す長さは、約清掃筒体２の周面一周分の長さである。
そして、引き出した部分を清掃筒体２の周面に一回りさせ上記装着固定部材６に固定する。そして、このように清掃布５を装着した状態で清掃を行った後、該清掃布の引き出された部分を反対の方向に一回りさせて再び清掃筒体２に装着する。この場合の装着された清掃筒体２の端部は、前回の装着固定部材６とは異なる側の装着固定部材６に固定する。
【００３４】
このようにして、清掃布５の引き出された部分の表裏の両面を用いて清掃を行う。そして、該両面による清掃が終了した後、該部分を切断して除去すると共に、清掃布５を更に引き出して同様に清掃筒体の周面に装着する。そして、上記と同様に新たに引き出された部分の表裏の両面を使用して清掃作業を行う。このようにして上記清掃布５がなくなるまで清掃を行うことができる。尚、図８及び図９中２５は、上記清掃布収容空間２４の開口部に螺着可能な蓋体である。
【００３５】
本実施形態の清掃具によると、清掃布が清掃筒体２内に大量に保持されているので清掃布の頻繁な交換作業から解放される。即ち、作業時に清掃布が汚れで飽和した場合であっても更に清掃布を引き出すことにより対処が可能であり、清掃作業を中断されずに清掃を継続することができる。尚、本実施形態の清掃具における清掃布５には、上記清掃筒体２の周面一回り分の長さ毎にミシン目を入れておくのが良い。これにより、上記汚れた部分の切断が容易となり、より作業性に優れたものとなる。
その他、本発明の要旨を逸脱しない範囲において更に他の様々な変更が可能である。
【００３６】
【発明の効果】
本発明によれば、適正な荷重により汚れを軽く効率的に拭き取ることができる清掃具を提供することができる。また、本発明によれば、清掃布全体を効率的に使用でき、広い面積の汚れを容易に拭き取ることのできる清掃具を提供することができる。
【図面の簡単な説明】
【図１】図１は、本発明の清掃具の一実施形態の分解斜視図である。
【図２】図２は、図１に示す清掃具の清掃具本体を示す斜視図である。
【図３】図３は、図１における清掃筒体を矢印Ａ方向から観た平面図である。
【図４】図４は、清掃筒体への清掃布の装着を示す斜視図である。
【図５】図５は、図１に示す清掃具の使用状態を示す説明図である。
【図６】図６は、図１に示す清掃具の使用状態を示す説明図である。
【図７】図７は、本発明の清掃具の他の実施形態の要部を示す概略図である。
【図８】図８は、本発明の清掃具の他の実施形態の要部を示す斜視図である。
【図９】図９は、本発明の清掃具の他の実施形態の要部を示す斜視図である。
【符号の説明】
１    清掃具
２    清掃筒体
２３  清掃布収容空間
２４  引き出し用スリット
３    把持本体
３０  軸部
３１  把持部
３２  軸受部
４  清掃具本体
５  清掃布
６  装着固定部材
６０  装着固定用スリット
７  ガラス面
【図１】
0004285791.tif 000002
【図２】
0004285791.tif 000003
【図３】
0004285791.tif 000004
【図４】
0004285791.tif 000005
【図５】
0004285791.tif 000006
【図６】
0004285791.tif 000007
【図７】
0004285791.tif 000008
【図８】
0004285791.tif 000009
【図９】
0004285791.tif 000010